(57)【要約】本発明は、宝石及び／または他の装飾を支持するセッティング（３）からなる宝飾品であって、前記支持セッティング（３）は、装飾体（４）によって一部を覆い、宝石及び／またはセッティング（３）の装飾部分の一部を隠し、セッティング（３）の表面に垂直な軸の周りでの回転とピース（４）の回転の各段階で自動的にロックするためのメカニズムを備えていることを特徴とする宝飾品に関する。
2005528153.tif 000002
【特許請求の範囲】
【請求項１】
宝石及び／または他の装飾を支持するセッティング（３）からなる宝飾品であって、前記支持セッティング（３）は、装飾体（４）によって一部を覆い、宝石及び／またはセッティング（３）の装飾部分の一部を隠し、セッティング（３）の表面に垂直な軸の周りでの回転とピース（４）の回転の各段階で自動的にロックするためのメカニズムを備えていることを特徴とする宝飾品。
【請求項２】
請求項１の宝飾品において、前記支持セッティング（３）が、宝石及び／または装飾体を取り付けるためのセクター（５）を複数有し、各セクターのサイズ及び形状は、前記装飾体（４）を構成する中央のリング（７）の突出部分（６）の各々に似たものとなることを特徴とする宝飾品。
【請求項３】
請求項２の宝飾品において、前記装飾体（４）が少なくとも一つの突出部分（６）を有し、前記セッティング（３）上に通常の形態で設けたセクター（５）の少なくとも一つを隠せるようになっていることを特徴とする宝飾品。
【請求項４】
請求項２または３の宝飾品において、前記装飾体（４）の前記突出部分（６）が宝石及び／または装飾体に装着するものであることを特徴とする宝飾品。
【請求項５】
請求項１から４のいずれかの宝飾品において、回転及び自動ロックメカニズムは、好ましくは、装飾体（４）の中心に位置する刻み目（８）、ボルト（９）、装飾体（４）をセッティング（３）に固定するための弾性要素（１０）、及び各セクターで回転を止めるロッキングシステムを、一の軸線に沿って配置して構成し、該ロッキングシステムが、刻み目（１１）と、装飾体（４）のＶ字形の背を使用したセッティング（３）及びワーク上に並置した傾斜面（１２）とから構成し、装飾体のＶ字形の背及びワーク自体が、刻み目へ入り込むことができ、弾性要素の付勢力の存在下で回転を止め得るものであることを特徴とする宝飾品。
【請求項６】
請求項１から４のいずれかの宝飾品において、装飾体（４）の回転及びロッキング装置が同軸になっている２個の円筒状のピース（１３）、（１４）、からなり、一方のピース（１３）はセッティング（３）に取付け、他方のピース（１４）は装飾体（４）に取付け、両者を軸方向にクリップ（１５）によって固定し、ピース（１３）に連なるピース（１４）の円筒状部分の自由回転は、装飾体（４）の円筒状部分から突出する弾性要素（１６）によって抵抗を受け、セッティング（３）の宝石及び／または図柄部分の各セクター上に位置することを特徴とする宝飾品。
【発明の詳細な説明】
【技術分野】
【０００１】
本発明は、外観を変形させ得る設計の宝飾品に関し、特に、指輪、ブローチ、イアリング、あるいは装飾要素を担持するものであって、その外観を宝石を着用している人の持ち物あるいはその人の要望に合わせて修正することができるものに関する。
【背景技術】
【０００２】
少なくとも２つの装飾要素を担持するセッティング付きの指輪や同様の物品について、フランス特許ＦＲ１３８１４９０に記述されているような公知技術がある。
【０００３】
この例では、ユーザに２つ以上のディスプレイ・オプションを提供するために、スプリットリングのような形状を有し、指輪としての開口の二端の間で回転するようになっている。
【０００４】
そのような宝飾品は、条件は満たすが、それが他の装飾の位置を決めるためには指から抜くことを必要とするという点では不便である。
【発明の開示】
【発明が解決しようとする課題】
【０００５】
本発明の目的は、上記の不便を改善する変形可能な設計の宝飾品を提案することである。
【課題を解決するための手段】
【０００６】
そのため本発明は、宝石及び／または他の装飾を支持するセッティングからなる宝飾品に関し、前記支持セッティングは、宝石の一部及び／または装飾の一部分で覆われ、取り付けたピースの回転における各段階で自動的にロックできるとともに、セッティング面に垂直な軸のまわりで回転することを可能にするメカニズムに取り付けるように形成する。
【０００７】
本発明において、回転及び自動ロックの原因であるメカニズムは、軸と、装飾体の中心に位置するナットと、ボルトと、装飾体をセッティングに固定する弾性要素と、そして各セクターで回転を止めるロッキングシステムとから構成する。ロッキングシステムは、刻み目と、装飾体のＶ字形の背を使用したセッティング及びワーク上に配置する並列の傾斜とから構成する。装飾のＶ字形の突状部及びワーク自体が刻み目へ入り込むことができ、弾性要素の付勢力の存在下で回転を止める。
【０００８】
本発明の別の例では、装飾体の回転及び自動ロックのためのメカニズムは、同軸でマウントされた円筒状の２片から構成する。そのうちの１つはセッティングに取付け、他方は装飾に取り付ける。また両方とも、軸方向にクリップによって固定する。そのため、他方に関連する円筒状部分のうちの１つの自由回転は、装飾の円筒状部分の本体から突出する弾性要素の存在によって抵抗を受け、セッティングの宝石及び／または構造部分の各セクター上に据えられる。
【発明の効果】
【０００９】
本発明の有利な特性の一つとして、支持セッティングに、宝石及び／またはデザインが異なる部位を取り付けることができ、各セクターのサイズ及び形が、装飾体を構成する中央の輪の突出部分の各々に似るようにすることができる。
【００１０】
本発明の別の特徴は、装飾体に少なくとも１つの突出部分が取り付けられ、セッティングに関して正規の形態で配置されるセクターの少なくとも１つを隠せることである。
【００１１】
さらに他の有利な特性として、装飾の突出部分に、宝石及び／または装飾を取り付け得ることである。
【発明を実施するための最良の形態】
【００１２】
上述した本発明の特徴等は、添付図面を参照しつつ以下の記述を読むことでより明白になるであろう。
【実施例１】
【００１３】
図１は、本発明によって構築される変形させ得る指輪の斜視図である。図２は、図１中の指輪の分解斜視図である。図３ａ及び３ｂは、本発明の異なる変形例を示す指輪の平面図である。図４は、本発明の異なる変形例の断面図である。
【００１４】
図１及び２は指輪（１）を示す。この指輪１は、本体（２）とセッティング（３）からなり、セッティング（３）は、宝石及び／またはその他の装飾体を担持する。
【００１５】
この発明では、この支持セッティング（３）は、装飾体（４）によって一部を覆われ、宝石及び／またはセッティング（３）の装飾部分の一部を隠す。またセッティング（３）の表面に垂直な軸の周りでの回転と装飾体（４）の回転の各段階で自動的にロックするためのメカニズムを備えている。
【００１６】
本発明の好ましい実施形態では、支持セッティング（３）は、宝石及び／または装飾体を取り付けるためのセクター（５）を複数備えている。各セクターのサイズ及び形状は、装飾体（４）を構成する中央のリング（７）の突出部分（６）の各々に似たものとなる。
【００１７】
この装飾体（４）は少なくとも一つの突出部分（６）を持ち、セッティング（３）上に通常の形態で設けたセクター（５）の少なくとも一つを隠せるようになっている。したがって、図１及び２に示した指輪（１）は３の突出部分（６）を持ち、これらが装飾体（４）及び宝石の９つのセクター（５）の上に乗るようになっている。
【００１８】
装飾体（４）の突出部分（６）は、装飾体及び／または宝石に取り付け得る。したがって、例えば、セッティング（３）を形成する石の異なる色で、他の持ち物と協調させるために変更することができる指輪を作ることが可能である。
【００１９】
図３ａ及び３ｂに示されるように、装飾体（４）の突出部分（６）の形は、まさに種々の形及びサイズであり得る。図２に示すように、回転及び自動ロックメカニズムは、好ましくは、装飾体（４）の中心に位置する刻み目（８）、ボルト（９）、装飾体（４）をセッティング（３）に固定するための弾性要素（１０）、各セクターで回転を止めるロッキングシステムを一の軸線に沿って配置して構成する。ロッキングシステムは、刻み目（１１）と、装飾体（４）のＶ字形の背を使用したセッティング（３）及びワーク上に並置した傾斜面（１２）とから構成し、装飾体のＶ字形の背及びワーク自体が、刻み目へ入り込むことができ、弾性要素の付勢力の存在下で回転を止め得る。
【００２０】
セッティング（３）のセクター（５）はそれぞれ刻み目（１１）、及び刻み目（１１）に近接した一対の斜面（１２）を持ち、装飾体（４）が回転している場合に、刻み目のロッキングシステムを形成する。
【００２１】
ある図柄及び／または宝石を隠すことによって指輪（１）の外観を変更するためには、装飾体（４）を優しく右回りにあるいは左回りに押すことで十分である。回転によってそれまで隠れた図柄が現われ、装飾体（４）の回転方向で次に位置していたものが隠れる。
【００２２】
このような変化を、指から指輪を抜き取らずに実現できる。そのため、指輪の審美的な外観を迅速に修正できる。さらに、ある宝石等を意図的に隠すことができるので、潜在的に敵意を持っているような個人に見せないようにして、その興味からそれらを保護することが可能になる。
【００２３】
回転とロックのためのメカニズムは、装飾体の中央部によって完全に隠される。
【００２４】
図４は、装飾体（４）の回転及びロッキング装置の変形例を示す。この例は、２個の円筒状のピース（１３）、（１４）、からなり、これらは同軸になっている。一方のピース（１３）はセッティング（３）に取付け、他方のピース（１４）は装飾体（４）に取り付けてあり、両者を軸方向にクリップ（１５）によって固定してある。そのため、ピース（１３）に連なるピース（１４）の円筒状部分の自由回転は、装飾体（４）の円筒状部分から突出する弾性要素（１６）によって抵抗を受け、セッティング（３）の宝石及び／または図柄部分の各セクター上に位置する。
【００２５】
装飾体によって隠される図柄に対応する要素（１７）に会うまで回転によって引っ張られる場合、弾性要素（１６）が圧縮によって装飾体（４）の本体（１４）内に隠される。
【００２６】
本発明は、以上説明してきたように、一つの宝石をベースにして少なくとも二つの形態を簡単に創り出すことを可能にする。
【００２７】
なお本発明について、指輪の実施例のみ説明してきたが、本発明はこれに限定されず、均等な全ての技術を含む。すなわち本発明は、宝石、指輪、ブローチ、イアリングあるいは同様のアイテムに適用できる。
【産業上の利用可能性】
【００２８】
指輪あるいは同様のアイテムへの適用
【図面の簡単な説明】
【００２９】
【図１】本発明によって構築される変形させ得る指輪の斜視図である。
【図２】図１中の指輪の分解斜視図である。
【図３】本発明の異なる変形例を示す指輪の平面図である。
【図４】本発明の異なる変形例の断面図である。
【図１】
2005528153.tif 000003
【図２】
2005528153.tif 000004
2005528153.tif 000005
【図４】
2005528153.tif 000006
【国際調査報告】
2005528153.tif 000007
2005528153.tif 000008
2005528153.tif 000009
2005528153.tif 000010
2005528153.tif 000011
2005528153.tif 000012